(57)【特許請求の範囲】
【請求項１】
光沢あるいは蛍光を現出させる特色が用いられた画像のうち前記特色で描画される画像領域に対して、前記画像領域外で使用されている色のうち前記画像領域に対して使用される色との色差が予め決められた範囲にある色が存在する場合に、光による視覚効果が得られるように加工を施す加工手段と、前記加工手段で加工された画像領域を含み表示手段に表示させる表示画像を生成する生成手段を有することを特徴とする画像処理装置。
【請求項２】
前記加工手段は、画像に対して仮想的に設定された光源と前記画像領域の各画素との距離に従って画素値を補正することを特徴とする請求項１に記載の画像処理装置。
【請求項３】
前記加工手段は、前記画像領域の大きさ及び画像中の配置をもとに前記光源の位置を設定することを特徴とする請求項２に記載の画像処理装置。
【請求項４】
さらに、利用者からの前記光源の位置の指定を受け付ける受付手段を有することを特徴とする請求項２に記載の画像処理装置。
【請求項５】
前記加工手段は、前記画像領域に対して時間の経過とともに変化させた加工を行うことを特徴とする請求項１に記載の画像処理装置。
【請求項６】
前記加工手段は、画像に対して仮想的に設定された光源と前記画像領域の各画素との距離に従って画素値を補正するとともに、前記光源の位置を時間の経過とともに変更することを特徴とする請求項５に記載の画像処理装置。
【請求項７】
前記加工手段は、前記画像領域中に明度を周囲の画素よりも高めた画素を散在させるとともに、時間の経過とともに該画素を変更することを特徴とする請求項５に記載の画像処理装置。
【請求項８】
コンピュータに、請求項１から請求項７のいずれか１項に記載の画像処理装置の機能を実行させるものであることを特徴とする画像処理プログラム。
【発明の詳細な説明】
【技術分野】
【０００１】
本発明は、画像処理装置及び画像処理プログラムに関するものである。
【背景技術】
【０００２】
画像を形成する画像形成装置や印刷装置などでは、Ｃ（シアン）、Ｍ（マゼンタ）、Ｙ（イエロー）、Ｋ（ブラック）といった基本色とともに、特色を用いる場合がある。特色としては様々な色が用いられるが、金、銀、メタリック色などの光沢を有する特色や、蛍光色の特色が用いられる場合がある。また、特許文献１に記載されているように、特色として透明な色材を用いて光沢を現出させようとする試みも行われている。
【０００３】
画像を形成する前に、表示装置に画像を表示させて確認する場合がある。上述の光沢を有する特色や蛍光色の特色が使用された画像では、これらの特色の光沢や蛍光が表示装置で再現されないことから、対応する代替色により表示している。例えば金の特色については黄土色で代替し、銀の特色については灰色で代替している。また、透明な特色を用いて光沢を再現する場合も、透明が表示装置で再現されないことから、例えば特許文献２では、透明な特色部分に指定された特定色で着色し、他の色の画像と重ね合わせて表示している。
【０００４】
光沢を有する特色がもつ光沢感は、その特色の色材自体の特性によって生じるものであり、特色を代替色で一律に再現した場合、表示された画像には再現されていない。また、蛍光色の特色についても、その特色の色材自体の特性によって蛍光が発せられているものであり、特色を代替色で一律に再現しても、表示された画像には蛍光は再現されない。さらに、透明な特色を用いる場合には、下地の色に光沢が付加されることから、特定色で着色することは、当該領域の本来の色とは異なってしまう。
【０００５】
また、画像中に特色の代替色と類似する色が使用されていると、表示された際に利用者が両者を混同する場合がある。例えば、金の特色の領域と黄土色の領域が存在すると、表示画面で金の特色の領域と黄土色の領域とを利用者が混同する場合がある。また、画像中に銀の特色の領域と灰色の領域が存在する場合も、表示画面で銀の特色の領域と灰色の領域とを利用者が混同する場合がある。黄色の蛍光色の場合も、表示画面で蛍光色の特色の領域と黄緑色の領域とを利用者が混同する場合がある。
【０００６】
一方、特色を用いるものではないが、特許文献３では、被写体中に光沢のようなハイライト光を含む物体が存在する場合、その物体の領域に対して階調補正を行い、物体の質感を再現しようとする試みもある。
【先行技術文献】
【特許文献】
【０００７】
【特許文献１】特開２００６−２５１７２２号公報
【特許文献２】特開２００８−１４５７８４号公報
【特許文献３】特開２００５−０１０９０２号公報
【発明の概要】
【発明が解決しようとする課題】
【０００８】
本発明は、光沢あるいは蛍光を現出させる特色が用いられた画像を表示手段に表示させる際に、それらの特色が用いられている画像領域が他の画像領域と区別して利用者に認識される表示画像を得ることができる画像処理装置及び画像処理プログラムを提供することを目的とするものである。
【課題を解決するための手段】
【０００９】
本願請求項１に記載の発明は、光沢あるいは蛍光を現出させる特色が用いられた画像のうち前記特色で描画される画像領域に対して、前記画像領域外で使用されている色のうち前記画像領域に対して使用される色との色差が予め決められた範囲にある色が存在する場合に、光による視覚効果が得られるように加工を施す加工手段と、前記加工手段で加工された画像領域を含み表示手段に表示させる表示画像を生成する生成手段を有することを特徴とする画像処理装置である。
【００１０】
本願請求項２に記載の発明は、本願請求項１に記載の発明における前記加工手段が、画像に対して仮想的に設定された光源と前記画像領域の各画素との距離に従って画素値を補正することを特徴とする画像処理装置である。
【００１１】
本願請求項３に記載の発明は、本願請求項２に記載の発明における前記加工手段が、前記画像領域の大きさ及び画像中の配置をもとに前記光源の位置を設定することを特徴とする画像処理装置である。
【００１２】
本願請求項４に記載の発明は、本願請求項２に記載の発明の構成に、さらに、利用者からの前記光源の位置の指定を受け付ける受付手段を有することを特徴とする画像処理装置である。
【００１３】
本願請求項５に記載の発明は、本願請求項１に記載の発明における前記加工手段が、前記画像領域に対して時間の経過とともに変化させた加工を行うことを特徴とする画像処理装置である。
【００１４】
本願請求項６に記載の発明は、本願請求項５に記載の発明における前記加工手段が、画像に対して仮想的に設定された光源と前記画像領域の各画素との距離に従って画素値を補正するとともに、前記光源の位置を時間の経過とともに変更することを特徴とする画像処理装置である。
【００１５】
本願請求項７に記載の発明は、本願請求項５に記載の発明における前記加工手段が、前記画像領域中に明度を周囲の画素よりも高めた画素を散在させるとともに、時間の経過とともに該画素を変更することを特徴とする画像処理装置である。
【００１６】
本願請求項８に記載の発明は、コンピュータに、請求項１から請求項７のいずれか１項に記載の画像処理装置の機能を実行させるものであることを特徴とする画像処理プログラムである。
【発明の効果】
【００１８】
本願請求項１に記載の発明によれば、光沢あるいは蛍光を現出させる特色が用いられた画像を表示手段に表示させる際に、特色が用いられた画像領域以外で使用されている色にかかわらず、それらの特色が用いられている画像領域が他の画像領域と区別して利用者に認識される表示画像を得ることができるという効果がある。
【００１９】
本願請求項２に記載の発明によれば、光沢あるいは蛍光を現出させる特色が用いられた画像領域が光源からの光を受けて光っているような視覚効果を与えることができる。
【００２０】
本願請求項３に記載の発明によれば、光沢あるいは蛍光を現出させる特色が用いられた画像領域の大きさや画像中の配置などから、仮想的に設ける光源の位置を設定することができる。
【００２１】
本願請求項４に記載の発明によれば、仮想的に設ける光源の位置を、利用者が設定することができる。
【００２２】
本願請求項５に記載の発明によれば、光沢あるいは蛍光を現出させる特色が用いられた画像領域に対して、時間の経過とともに変化する視覚効果を与えることができる。
【００２３】
本願請求項６に記載の発明によれば、光沢あるいは蛍光を現出させる特色が用いられた画像領域が光源からの光を受け、さらにその光源が動いてゆくような視覚効果を与えることができる。
【００２４】
本願請求項７に記載の発明によれば、光沢あるいは蛍光を現出させる特色が用いられた画像領域がきらきらするような視覚効果を与えることができる。
【００２５】
本願請求項８に記載の発明によれば、請求項１から請求項７のいずれか１項に記載の画像処理装置の効果を得ることができる。
【図面の簡単な説明】
【００２７】
【図１】本発明の実施の一形態を示す構成図である。
【図２】本発明の実施の一形態を含む画像形成システムの一例を示す構成図である。
【図３】本発明の実施の一形態における動作の一例を示す流れ図である。
【図４】本発明の実施の一形態における動作の一例を示す具体例の説明図である。
【図５】光沢画像領域に対する加工処理の一例を示す流れ図である。
【図６】光沢特色の代替色の近似色が使用されているか否かを判定する処理の一例を示す流れ図である。
【図７】光源位置の設定処理の一例を示す流れ図である。
【図８】光源位置の設定処理の具体例の説明図である。
【図９】光源との距離に応じた補正処理の一例の説明図である。
【図１０】光源との距離に応じた補正処理の別の例の説明図である。
【図１１】光源との距離に応じた補正処理の別の例における具体例の説明図である。
【図１２】光沢画像領域に対する加工処理の一例による具体例の説明図である。
【図１３】光源の位置を変化させた場合の表示画像の一例の説明図である。
【図１４】時間の経過とともに表示画像を変更する場合の動作の一例を示す流れ図である。
【図１５】時間の経過とともに表示画像を変化させる場合の表示画像の別の例の説明図である。
【図１６】本発明の実施の形態で説明した装置の機能をコンピュータプログラムで実現した場合におけるコンピュータプログラム及びそのコンピュータプログラムを格納した記憶媒体とコンピュータの一例の説明図である。
【発明を実施するための形態】
【００２８】
図１は、本発明の実施の一形態を示す構成図である。図中、１は加工部、２は生成部、３は受付部、４は表示装置である。一般にカラー画像には、基本色、例えばＣ（シアン）、Ｍ（マゼンタ）、Ｙ（イエロー）の３色あるいはＫ（ブラック）を加えた４色や、Ｒ（レッド）、Ｇ（グリーン）、Ｂ（ブルー）の３色が用いられる。この実施の一形態において与えられる画像は、基本色に加えて、光沢あるいは蛍光を現出させる特色が用いられる。例えば、金、銀、メタリック色などの色材自体が光沢を有する特色や、透明であるが光沢を現出させる特色、蛍光色の特色などが用いられる。これらの光沢あるいは蛍光を現出させる特色を、以下の説明では光沢特色と呼ぶことにする。
【００２９】
画像としては基本色ごと及び特色ごとの版として与えられていてもよいし、描画命令の集合として与えられ、各描画図形に対する色の指定で特色が指定されていて、描画処理を行いながら実施の一形態で説明する処理を行ってもよいし、あるいは他の形式の画像であってもよい。
【００３０】
加工部１は、与えられた光沢特色が用いられた画像中の、光沢特色で描画される領域（以下、光沢画像領域と呼ぶことにする）に対して光による視覚効果が得られるように加工を施す。加工は、光沢画像領域以外で使用されている色のうち、光沢画像領域に対して使用される色との色差が予め決められた範囲にある色が存在する場合に行うようにしてもよい。光沢画像領域の色との色差が予め決められた範囲の色がほかに使用されていない場合には、加工を施さなくても光沢画像領域の色が他の色と区別して識別されるものとし、加工しないように構成してもよい。
【００３１】
加工の一例としては、画像に対して仮想的に設定された光源と、加工を施す光沢画像領域の各画素との距離に従って画素値を補正し、例えば光源に近いほど明度を高め、あるいは淡い色に加工し、あたかも光が当たっているかのような視覚効果が得られるように加工するとよい。光源は、画像上の予め設定されている位置に固定しておいてもよいし、加工を施す光沢画像領域の大きさや、光沢画像領域の画像中の配置をもとに、光源の位置を設定してもよい。あるいは、受付部３が利用者から受け付けた光源の位置を使用してもよい。なお、加工に際して利用者からの指示を受け付けなくてもよい場合には、受付部３を設けずに構成してもよい。
【００３２】
加工の別の例としては、光沢画像領域に対して時間の経過とともに変化させた加工を行ってもよい。例えば、画像に対して仮想的に設定された光源と光沢画像領域の各画素との距離に従って画素値を補正する上述の加工とともに、光源の位置を時間の経過とともに変更する。光沢画像領域については光源の移動とともに変化する画像が得られることになる。あるいは、光沢画像領域中に明度を周囲の画素よりも高めた画素を散在させるとともに、時間の経過とともに該画素を変更する加工を施してもよい。光沢画像領域に星がまたたくような、光による視覚効果が得られる。
【００３３】
もちろん、加工部１で光沢画像領域に対して施す加工は、これらの例に限られるものではなく、光による視覚効果が得られる種々の加工を施してよい。
【００３４】
生成部２は、加工部１で加工された光沢画像領域を含み、表示装置４に表示させる表示画像を生成する。例えば、光沢特色以外で形成される画像を生成して光沢画像領域をマスクし、加工部１で加工された画像を合成し、表示画像を生成すればよい。あるいは、マスクせずに、加工部１で加工された光沢画像領域を上書きして表示画像を生成してもよい。表示画像は表示装置４へ出力され、表示される。なお、加工部１で光沢画像領域に対して時間の経過とともに変化させた加工を行っている場合、この生成部２でも時間の経過とともに変化する表示画像を生成して表示装置４に表示させる。この場合、表示装置４には画像が動画表示あるいはアニメーション表示などと呼ばれる、時間の経過とともに変化する画像が表示されることになる。
【００３５】
図２は、本発明の実施の一形態を含む画像形成システムの一例を示す構成図である。図中、１１は利用者端末、１２は通信路、１３は画像形成サーバ、１４は表示装置、１５は通信路、１６は画像形成装置、２１は通信部、２２は画像受付部、２３は画像記憶部、２４は画像メモリ、２５は画像処理部、２６は画像送信部、２７は通信部、２８は表示画像生成部、２９は表示制御部、３０は指示装置、３１は指示受付部、３２は制御部である。
【００３６】
図２に示す画像形成システムでは、利用者端末１１から通信路１２を通じて画像の形成を指示すると、画像形成サーバ１３がこれを受け取り、指示された画像を生成し、生成した画像を通信路１５を通じて画像形成装置１６へ送り、送られてきた画像を画像形成装置１６で用紙などの媒体上に形成して出力する。画像形成サーバ１３は、画像形成装置１６で画像を形成する前に表示装置１４に画像を表示させ、形成される画像を利用者が確認する機能も有している。
【００３７】
画像形成サーバ１３は、この例では、通信部２１、画像受付部２２、画像記憶部２３、画像メモリ２４、画像処理部２５、画像送信部２６、通信部２７、表示画像生成部２８、表示制御部２９、指示装置３０、指示受付部３１、制御部３２などを含んで構成されている。
【００３８】
通信部２１は、通信路１２を通じて利用者端末１１を含む他の装置と通信を行う。画像受付部２２は、利用者端末１１からの画像形成の指示を受け付け、指示された形成する画像の情報を利用者端末１１あるいは他の装置から取得し、画像メモリ２４あるいは画像記憶部２３に記憶させる。
【００３９】
画像記憶部２３には、描画前の画像の情報が蓄積される。描画された画像や描画途中の画像、その他の情報が記憶されていてよい。画像メモリ２４は、画像処理部２５が描画処理を行う際に用いられ、描画された画像や、描画の際に用いる画像の情報、その他各種の情報が記憶される。
【００４０】
画像処理部２５は、制御部３２の制御に従い、画像の情報から画像形成装置１６で形成する画像を生成する。画像の生成の際には、画像受付部２２で受け付けた画像形成の指示や、指示装置３０から利用者により行われ指示受付部３１で受け付けた各種の指示などに従って行われる。生成する画像はビットマップの画像であり、一例としては画像形成装置１６で使用する色材の色毎に分版された画像である。ここでは、基本色とともに光沢特色が使用されるものとし、これらの各色の版からなる画像が生成されるものとする。
【００４１】
通信部２７が通信路１５を通じて画像形成装置１６と通信を行い、画像処理部２５で生成された画像は、画像送信部２６から画像形成装置１６へと送られて、用紙等の媒体上に画像が形成される。
【００４２】
この画像形成サーバ１３では、画像形成装置１６で画像を形成する前に、表示装置１４に画像を表示させて確認する機能を有している。表示画像生成部２８は、画像処理部２５で生成された画像をもとに、表示装置１４に表示させる画像を生成して表示制御部２９を通じて表示装置１４に送る。これにより、画像形成装置１６で形成する画像が表示装置１４に表示される。利用者は、表示された画像により、画像形成装置１６で形成される画像を確認すればよい。なお、表示装置１４は、図１における表示装置４に対応するものである。
【００４３】
この表示画像生成部２８として、図１に示した本発明の実施の一形態における加工部１及び生成部２を有している。光沢特色により描画される光沢画像領域に対しては、光による視覚効果が得られるように加工を施した画像を生成し、表示装置１４に表示させる。光沢画像領域以外で光沢特色の代替色の類似色が使用されていたり、光沢特色として透明な特色を用いたりしていた場合でも、光沢画像領域では光による視覚効果が得られ、光沢画像領域とそれ以外の領域とが区別される。なお、加工の際に利用者からの指示を受ける場合には、図１の受付部３に対応する指示受付部３１で、利用者が指示装置３０を用いて行った指示を受け付けて、加工の際に使用すればよい。
【００４４】
図２に示した例では、画像形成サーバ１３と画像形成装置１６とを別に示しているが、これらが一体となった装置であってもよい。また、画像読取手段を有する構成や、ファクシミリ機能を有する構成など、種々の変形を行ってもよいことは言うまでもない。
【００４５】
図３は、本発明の実施の一形態における動作の一例を示す流れ図である。ここでは、基本色及び光沢特色が使用された画像を表示装置に表示させる動作の一例を示している。なお、基本色をＣＭＹＫ、光沢特色をＳとして示し、表示装置はＲＧＢの画像を受け取るものとしている。例えば図２に示した例では画像処理部２５で描画し、画像形成装置１６で形成する画像を受け取ればよい。
【００４６】
基本色の画像については、Ｓ１０１において色空間変換、例えばＣＭＹＫ色空間からＲＧＢ色空間への変換を行う。変換の際に、表示装置に応じた色補正を行ってもよい。
【００４７】
また、光沢特色の画像については、Ｓ１０２においてＲＧＢ色空間の代替色への置換を行う。代替色は、光沢特色がそのまま表示装置で再現されないことから、類似した色により表示するものである。例えば金色であれば黄色や黄土色、銀色であれば灰色などが代替色として用いられる。光沢特色が透明の場合には、色空間変換後の基本色の画像において、透明の光沢特色が使用されている位置の画素で用いられている基本色の色を代替色として取得すればよい。
【００４８】
Ｓ１０３において、代替色に置換された光沢特色の画像について、光沢特色が使用されている光沢画像領域に対して光による視覚効果が得られるように加工を施す。この具体例については後述する。
【００４９】
一方、この動作例ではＳ１０４において、Ｓ１０２で代替色に置換された光沢特色の画像を二値化し、Ｓ１０５において、Ｓ１０４で二値化した画像をマスクとして用い、Ｓ１０１で色空間変換した基本色の画像に対してマスク処理を行い、基本色の画像から光沢画像領域を抜く。
【００５０】
そしてＳ１０６において、Ｓ１０５で基本色の画像から抜いた光沢画像領域に、Ｓ１０３で光による視覚効果が得られように加工された光沢特色の画像を合成して表示画像を生成する。表示画像は表示装置に送られ、表示装置に表示される。
【００５１】
図４は、本発明の実施の一形態における動作の一例を示す具体例の説明図である。図４（Ａ）には基本色の画像を、図４（Ｂ）には光沢特色の画像を、それぞれ示している。図４（Ａ）に示した基本色の画像は、表示装置が受け取る画像の色空間に変換された画像である。また、図４（Ｂ）に示した光沢特色の画像は、光沢特色に対応する代替色に置換された画像である。置換後の色空間は表示装置が受け取る画像の色空間である。
【００５２】
図４（Ｂ）に示した光沢特色の画像は、光沢特色が使用されている光沢画像領域に対して光による視覚効果が得られるように加工が施される。加工後の画像を図４（Ｃ）に示している。
【００５３】
一方、図４（Ｂ）に示した光沢特色の画像を二値化して、図４（Ｄ）に示す二値画像を得る。ここでは、二値を白と黒で示し、黒の領域が光沢特色を使用する光沢画像領域を示している。この二値画像をマスクとして用い、図４（Ａ）に示した基本色の画像に対してマスク処理を行う。ここでは図４（Ｄ）に示した二値画像のうち、黒の領域を抜く処理を行う。これにより、図４（Ｅ）に示すように光沢画像領域が抜けた画像が得られる。
【００５４】
得られた図４（Ｅ）に示す画像と、図４（Ｃ）に示した加工後の光沢特色の画像とを合成し、図４（Ｆ）に示す表示画像を得る。表示画像では、光沢特色が使用される光沢画像領域について、光による視覚効果が得られるように加工が施されており、光沢特色と類似する色が光沢画像領域以外で用いられていても、両者が混同されることはない。例えば図４（Ａ）に示した基本色の画像中に存在する文字の色が、光沢特色の代替色と類似している場合でも、図４（Ｆ）に示した表示画像では、光沢画像領域に対して光による視覚効果が得られるように加工が施されており、基本色の文字部分と色が混同されることはない。
【００５５】
なお、この動作例ではマスク処理を行ってから合成の処理を行っているが、例えば合成の際に、光沢画像領域を基本色の画像に上書きして合成し、表示画像を生成してもよい。この場合には、図３におけるＳ１０４の二値化及びＳ１０５のマスクの処理は不要である。図４の例で言えば、図４（Ａ）に示す基本色の画像に、図４（Ｃ）に示す加工後の光沢特色の画像の光沢画像領域を上書きすればよい。
【００５６】
次に、光沢特色の画像に対して行う加工処理の一例について説明する。ここでは、光沢画像領域にあたかも光源からの光が当たっているかのような視覚効果が得られるように加工する場合について示す。
【００５７】
図５は、光沢画像領域に対する加工処理の一例を示す流れ図である。Ｓ１１１において、光沢特色の代替色について、当該代替色や代替色の近似色が、基本色の画像のうち光沢画像領域以外の領域に使用されているか否かを判定する。使用されていなければ、光沢画像領域の代替色が他の色と区別されることから、ここでは加工しないものとして、図５の処理を終了している。もちろん、基本色の画像で使用されている色にかかわらず、光沢画像領域に対して加工を施してもよく、その場合にはＳ１１１を設けなくてもよい。
【００５８】
Ｓ１１２において、仮想的に設ける光源の位置を設定する。光源の位置は、例えば、加工を施す光沢画像領域の大きさや、光沢画像領域の画像中の配置をもとに設定するとよい。あるいは、利用者から受け付けた指示に従って光源の位置を設定してもよい。光源の位置を 画像上の予め設定されている位置に固定しておいてもよく、その場合にはＳ１１２の処理は不要である。
【００５９】
Ｓ１１３において、Ｓ１１２で設定された光源の位置と、加工を施す光源画像領域の各画素の位置との距離に応じて画素値を補正する。例えば、光源に近いほど輝度を高め、あるいは淡い色に加工するとよい。このような加工を施すと、設定された光源の位置からあたかも光が当たっているかのような視覚効果が得られる。
【００６０】
図６は、光沢特色の代替色の近似色が使用されているか否かを判定する処理の一例を示す流れ図である。この処理は、図５のＳ１１１において行われる処理の一例である。Ｓ１２１において、基本色の画像中の１つの画素について、使用されている色を抽出する。そしてＳ１２２において、抽出した色と、光沢特色の代替色との色差ΔＥを算出する。Ｓ１２３において、基本色の画像中の全画素について処理を行ったか否かを判定し、未処理の画素が残っている場合にはＳ１２１へ戻って残りの画素についての処理を繰り返す。
【００６１】
基本色の画像中の全画素について色差ΔＥを算出したら、Ｓ１２４において、色差ΔＥが、予め設定されている閾値以下の画素の数が、予め決められた規定数以上存在するか否かを判定する。色差ΔＥが閾値以下の画素の数が、予め決められた規定数以上存在している場合には、Ｓ１２５において、近似色が使用されていると判定する。この場合、図５に示した処理では、光沢画像領域に対して、あたかも光源からの光が当たっているかのような視覚効果が得られるように加工を施す。また、色差ΔＥが閾値以下の画素の数が、予め決められた規定数よりも少ない場合には、それらの画素が存在していても光沢画像領域は利用者により識別されるものと判断し、この場合にはＳ１２６において、近似色は使用されていないと判定する。この場合、図５に示した処理では、光沢画像領域に対する加工は行われない。
【００６２】
図７は、光源位置の設定処理の一例を示す流れ図である。この処理は、図５のＳ１１２において行われる処理の一例である。ここでは、光沢画像領域の中央に光源を配置する場合の処理例を示している。Ｓ１３１において、光沢特色の画像に原点を設定し、Ｘ，Ｙ軸を設定する。例えば画像の左上に原点を設定すればよい。また、Ｘ軸は左右方向、Ｙ軸は上下方向に設定すればよい。
【００６３】
Ｓ１３２において、光沢特色の値を有する各画素、すなわち光沢画像領域の各画素について、Ｘ軸方向の最大及び最小の値と、Ｙ軸方向の最大及び最小の値を求める。Ｘ軸方向の最大の値をＸmax 、最小の値をＸmin とする。また、Ｙ軸方向の最大の値をＹmax 、最小の値をＹmin とする。それぞれの求める方法としては、周知の方法を使用すればよく、例えばＸ軸方向及びＹ軸方向への射影を生成すれば、それぞれの値が得られる。
【００６４】
Ｓ１３３において、Ｓ１３２で求めたＸ軸方向の最大及び最小の値とＹ軸方向の最大及び最小の値から、Ｐ１（Ｘmin ，Ｙmin ）、Ｐ２（Ｘmax ，Ｙmax ）、Ｐ３（Ｘmax ，Ｙmin ）、Ｐ４（Ｘmin ，Ｙmax ）の４つの座標値を求める。これらは、光沢画像領域を内包する矩形領域の頂点の座標となる。
【００６５】
Ｓ１３４において、Ｐ１とＰ２、Ｐ３とＰ４をそれぞれ直線で結んだ場合の交点の座標を求める。この交点の座標を光源の位置とすればよい。
【００６６】
図８は、光源位置の設定処理の具体例の説明図である。図７に示した処理を、具体例を用いて説明する。図８（Ａ）に示す例では、中央部に光沢特色で描かれる円形の図形が存在している。この図形が光沢画像領域となる。例えば左上に原点を設け、Ｘ軸方向、Ｙ軸方向に最小値及び最大値を求め、光沢画像領域を含む矩形領域の頂点Ｐ１、Ｐ２、Ｐ３、Ｐ４を求める。頂点Ｐ１、Ｐ２、Ｐ３、Ｐ４は、図示のように求められる。頂点Ｐ１とＰ２、Ｐ３とＰ４をそれぞれ直線で結び、その交点を求める。この交点の座標を光源の位置とすればよい。図８（Ａ）では、白丸で示した点が光源の位置となる。
【００６７】
図８（Ｂ）に示した例では、光沢特色で描かれる図形が離れて２つ存在している。図７で説明した処理では、この２つの図形を含む矩形領域の頂点がそれぞれＰ１、Ｐ２、Ｐ３、Ｐ４となる。頂点Ｐ１とＰ２、Ｐ３とＰ４をそれぞれ直線で結び、その交点の座標を光源の位置とすればよい。白丸で示した点が光源の位置となる。
【００６８】
この図８（Ｂ）に示した例のように、光沢特色で描かれている図形が複数存在する場合、上述のように共通した光源の位置を設定するほか、図形ごとに光源を設定してもよい。
【００６９】
上述の例では光沢画像領域を内包する矩形領域の中心を光源の位置とする例を示したが、もちろん、この例に限らず光源の位置を設定してもよい。例えば得られた光源の位置を右上や左上にずらした位置としてもよい。また、点Ｐ１や点Ｐ３を光源の位置としてもよい。もちろん、例えば画像の右上や左上、中央など、光沢画像領域の配置にかかわらず、固定した位置に設けてもよい。あるいは、利用者からの指示に従ってもよい。例えば、マウスなどの指示装置を用いて表示画面上の点を指示し、指示された点の位置から光源の位置を設定すればよい。
【００７０】
図９は、光源との距離に応じた補正処理の一例の説明図である。この処理は、図５のＳ１１３において行われる処理の一例である。ここでは一例として、光源に近いほど輝度を高める補正処理を行う場合について示している。例えば、光源からの距離と輝度とが負の相関関係にあることを利用し、図９（Ａ）に示すような光源からの距離と輝度の関係を用いて光沢特色の画像の各画素値を補正する。図９（Ａ）に示す関係では、光源に近いほど輝度を高くする補正を行い、光源から遠いほど輝度の補正を少なくしている。
【００７１】
例えば図９（Ｂ）に示した円形の図形が光沢特色で描かれており、その中心に光源の位置が設定されている場合、光源に近いほど輝度を高くする補正を行う。すると、図９（Ｃ）に示すように補正される。なお、図示の都合上、輝度の違いは斜線の間隔により示している。
【００７２】
具体例として示した、光沢特色で描かれた円形の図形は、光沢特色に対応する代替色に変換され、加工を施さなければ図９（Ｂ）に示すように表示装置に表示される。表示装置では代替色で表示されていることから、光沢特色が有する光沢感などは反映されず、平面的な表示がなされる。上述のような加工を施すと、図９（Ｂ）では平面的に見える図形が、図９（Ｃ）に示すように、あたかも中心に設けられた光源からの光を図形上で反射しているかのような視覚効果が得られる。光沢特色で描かれた円形の図形は、代替色での表示となるものの、視覚効果により光沢特色で形成されることが、利用者により確認されることになる。
【００７３】
図１０は、光源との距離に応じた補正処理の別の例の説明図である。図９に示した例では、光沢特色を用いて実際に形成した画像から得られる光沢感が、表示された画像で表現されていない場合がある。このような場合、輝度を変更するだけでなく、他の色を代替色とともに用いると表示された画像で光沢感が得られることがある。例えば、金色の光沢特色を用いる場合、代替色として黄土色を用いるが、黄土色だけで輝度を変更しても光沢感を再現しきれない場合がある。このような場合に、黄色を加えることで光沢感を出すとよい。この場合の補正処理の例を図１０に示している。
【００７４】
図１０（Ａ）には、光沢特色の代替色に対して補正する際に用いる関係の一例を示している。図９（Ａ）に示した例に比べて、設定されている光源の位置から予め決められた第１の距離ｄ１までの範囲については最大輝度とするように補正し、従って代替色を使用しない、あるいは代替色の使用量を、補正を行わない領域に比べて減らしている。第１の距離ｄ１よりも距離が長くなるにつれて、輝度の補正量を減らし、代替色の使用量を増やしている。
【００７５】
また図１０（Ｂ）には、光源からの距離と、代替色とともに用いる色の混入率との関係の一例を示している。光源の位置から予め決められた第１の距離ｄ１までは混入率を高めて行き、予め決められた第１の距離ｄ１からは混入率を減らして、予め決められた第２の距離ｄ２で混入率が０となるようにしている。
【００７６】
これらにより、光源の位置から第１の距離ｄ１へ向けて、代替色は増やさずに、代替色とともに用いる色を増やして行く。第１の距離ｄ１から第２の距離ｄ２へ向けて、代替色を増やしてゆくとともに、代替色とともに用いる色を減らしてゆき、第２の距離ｄ２で代替色とともに用いる色を０にしている。以後、代替色を増やしてゆく。
【００７７】
図１１は、光源との距離に応じた補正処理の別の例における具体例の説明図である。図１１（Ａ）及び（Ｂ）には図９（Ｂ）及び（Ｃ）に示した例を再掲している。図１１（Ｃ）には、図１０（Ａ）に示した関係を用いて代替色の輝度補正を行った例を示している。また、図１１（Ｄ）には、図１０（Ｂ）に示した関係を用いて代替色とともに用いる色を図１１（Ｃ）に示した例に追加した例を示している。最大輝度とする範囲が図１１（Ｂ）に示した例よりも広くなっている。なお、ここでは図示の都合上、それぞれの色を斜線で示している。
【００７８】
例えば金色の光沢特色を用いる場合、代替色として黄土色を用い、図１１（Ｂ）に示す画像を生成しても、光沢感を再現しきれない場合がある。このような場合に、黄土色とともに黄色を用い、光源からの光が強いように加工する領域に使用することで光沢感を出している。図１１（Ｄ）に示す例では、光源から遠ざかるに従い第１の距離ｄ１までは黄色で再現し、さらに光源から遠ざかるに従って黄色から黄土色に変化させている。実際の金色の面に光を照射した場合に生じる、光源からの光による輝きを模擬的に再現させて、光による視覚効果を得ている。
【００７９】
代替色とともに使用する色は、代替色とともに予め決めておくとよい。金色の特色では、上述のように黄土色の代替色とともに黄色を用いるとよい。また、銀色の特色では、灰色の代替色とともに、水色がかった灰色を用いるとよい。他の光沢特色についても、予め決めておけばよい。
【００８０】
また、どのような関係を用いて輝度の補正や混入率の制御を行うかは、予め決めておけばよく、この例に限らず、使用する特色の特性などを勘案して決めればよい。
【００８１】
図１２は、光沢画像領域に対する加工処理の一例による具体例の説明図である。図１２中、顔のような円形の領域ａに光沢特色を用いている。この領域ａが光沢画像領域となる。また、この光沢特色の代替色の類似色が、光沢画像領域外の文字の領域ｂに用いられている。図１２（Ａ）には、光沢画像領域に加工を施さない場合を示しており、領域ａと領域ｂの色の違いが利用者には区別されず、よって、光沢特色が使用されていても表示画像からは分からない。
【００８２】
光沢特色を用いる光沢画像領域に対して上述の加工を施した場合を図１２（Ｂ）に示している。ここでは領域ａの円の中心に光源を配置したものと仮定して加工した例を示している。加工は、図１０で説明した、代替色とは異なる色を代替色とともに用いた場合を示している。ここでは図示の都合上、斜線の間隔を変更して明るさの違いを示している。このような加工を行うと、光沢画像領域では、光源に近いほど強く光が照射され、光沢特色により反射されているかのような視覚効果が得られている。一方、領域ｂについては光沢特色を使用しておらず、従って加工は施されずに一律な色再現となる。従って、領域ａと領域ｂとが利用者により区別されることになる。
【００８３】
上述の光沢画像領域に対する加工の例では、１枚の表示画像を生成する例であったが、表示装置に表示させる表示画像を、時間の経過とともに変化させてもよい。いわゆる動画やアニメーションによる表示としてもよい。
【００８４】
その一例として、上述の光源からの距離に応じた補正処理を行う例で、光源の位置を時間の経過とともに変化させるとよい。図１３は、光源の位置を変化させた場合の表示画像の一例の説明図である。図１３（Ａ）には、ある時点での表示画像の例を示している。この時点では光源はａの位置に設定されているものとして、円形の光沢画像領域に対して加工を施している。
【００８５】
図１３（Ａ）に示した光源の位置ａから、時間の経過とともに光源の位置を変化させて行き、例えば位置ｂに光源の位置が設定された状態の表示画像の例を図１３（Ｂ）に示している。表示装置に表示されている画像を参照している利用者には、時間の経過とともに光沢画像領域が変化してゆくことが視認され、変化しない光沢画像領域以外との区別がなされることになる。
【００８６】
時間の経過とともに、どのように光源を移動するかは、予め決められた方法により行えばよい。例えば図１３に示した例では、ある点を中心にして、時計方向に回転移動させるものとして図示している。もちろん、この例に限られるものでないことは言うまでもない。また、表示画像を変更する時間間隔についても、予め設定しておけばよい。
【００８７】
また、光源の移動を、利用者の指示に従って行ってもよい。例えばマウスなどの位置指示装置を用い、指示された画像上の位置の変化に従って表示画像を生成し、表示装置に表示させてもよい。例えば図１３（Ａ）の点ａを位置指示装置で指示している状態から、図１３（Ｂ）の点ｂに位置指示装置を移動させると、その移動に従って、図１３（Ａ）に示した表示画像から図１３（Ｂ）に示した表示画像へ変化させるとよい。この場合、利用者の操作に従って変化する表示画像を参照すれば、変化する光沢画像領域と変化しないその他の領域とが区別されることになる。
【００８８】
図１４は、時間の経過とともに表示画像を変更する場合の動作の一例を示す流れ図である。上述した、利用者からの指示を受けずに時間の経過とともに表示画像を変更する場合を自動モード、利用者の操作に従って表示画像を変更する場合を手動モードとして、表示画像を変化させる場合の処理例を図１４に示している。
【００８９】
Ｓ１４１において、設定されているモードを判定する。モードは、利用者が受付部３などに対して設定の指示を行えばよい。予め設定しておいてもよいし、表示画像を参照している途中でも設定を受け付けるようにしてもよい。
【００９０】
設定されているモードが自動モードである場合には、Ｓ１４２において、予め決められた時間が経過したか否かを判定する。経過していなければＳ１４１へ戻る。予め決められた時間が経過した場合には、Ｓ１４３において、光源の位置を変更する。変更方法は、予め決めておけばよい。Ｓ１４６において、Ｓ１４３で設定した光源の位置をもとに光沢画像領域に対して加工を施して表示画像を生成し、表示手段に表示されている表示画像を更新する。
【００９１】
一方、設定されているモードが手動モードである場合には、Ｓ１４４において、利用者により指示されている位置が移動したか否かを判定する。移動していなければ表示画像の更新は不要であり、Ｓ１４１へ戻る。指示されている位置が移動した場合には、Ｓ１４５において、指示されている位置を光源の位置として設定する。そしてＳ１４６において、Ｓ１４５で設定した光源の位置をもとに光沢画像領域に対して加工を施して表示画像を生成し、表示手段に表示されている表示画像を更新する。
【００９２】
いずれの場合も、Ｓ１４７において表示画像の表示を終了するか否かを判定し、終了しない場合にはＳ１４１へ戻る。表示の終了とともに、この処理を終了する。この動作例では、自動モードと手動モードを切り換えて用いる場合の例を示したが、もちろん、いずれか一方で構成されていてもよい。また、動きを伴わないモードを含め、他のモードを有していてもよい。
【００９３】
図１５は、時間の経過とともに表示画像を変化させる場合の表示画像の別の例の説明図である。上述の各例では、仮想的に設定された光源の位置からの距離に応じて光沢画像領域の加工を行う例を示し、さらに光源の位置を変化させて表示画像を変化させる例を示した。しかし、これらの例に限らず、光による視覚効果が得られる加工であればよい。
【００９４】
例えば図１５（Ａ）、（Ｂ）に示す例では、光沢画像領域に、当該領域の輝度よりも高い輝度の点を複数配置する。そして、この点の配置を時間の経過とともに変更する。例えば図１５（Ａ）に示した表示画像と図１５（Ｂ）に示した表示画像とを、時間の経過とともに交互に表示する。あるいは、点の配置をランダムに変更してもよい。
【００９５】
図１５（Ｃ）、（Ｄ）に示す例では、図１５（Ａ）、（Ｂ）に示す例で光沢画像領域に配置した点の代わりに、光っているような図形を配置した例を示している。この例の場合も、時間の経過とともに例えば図１５（Ｃ）に示した表示画像と図１５（Ｄ）に示した表示画像とを交互に表示し、あるいは、図形の配置をランダムに変更して表示すればよい。
【００９６】
この図１５に示した例では、例えばクリスマスツリーなどで用いられる電飾の点滅をイメージして、表示画像を生成して表示している。これにより、光沢画像領域については、光沢特色が光を反射して光っているような視覚効果が得られ、利用者が他の領域と区別して認識することになる。
【００９７】
これまで、光っているような視覚効果が得られるいくつかの例を示した。もちろん、これらの例に限られるものではなく、他の領域と区別されるように、光による視覚効果が得られる種々の加工を光沢画像領域に対して施せばよい。
【００９８】
図１６は、本発明の実施の形態で説明した装置の機能をコンピュータプログラムで実現した場合におけるコンピュータプログラム及びそのコンピュータプログラムを格納した記憶媒体とコンピュータの一例の説明図である。図中、４１はプログラム、４２はコンピュータ、５１は光磁気ディスク、５２は光ディスク、５３は磁気ディスク、５４はメモリ、６１はＣＰＵ、６２は内部メモリ、６３は読取部、６４はハードディスク、６５はインタフェース、６６は通信部である。
【００９９】
上述の本発明の実施の形態で説明した構成の機能の全部あるいは部分的に、コンピュータが実行するプログラム４１によって実現してもよい。その場合、そのプログラム４１およびそのプログラムが用いるデータなどは、コンピュータによって読み取られる記憶媒体に記憶させておけばよい。記憶媒体とは、コンピュータのハードウェア資源に備えられている読取部６３に対して、プログラムの記述内容に応じて、磁気、光、電気等のエネルギーの変化状態を引き起こして、それに対応する信号の形式で、読取部６３にプログラムの記述内容を伝達するものである。例えば、光磁気ディスク５１、光ディスク５２（ＣＤやＤＶＤなどを含む）、磁気ディスク５３、メモリ５４（ＩＣカード、メモリカード、フラッシュメモリなどを含む）等である。もちろんこれらの記憶媒体は、可搬型に限られるものではない。
【０１００】
これらの記憶媒体にプログラム４１を格納しておき、例えばコンピュータ４２の読取部６３あるいはインタフェース６５にこれらの記憶媒体を装着して、コンピュータからプログラム４１を読み出し、内部メモリ６２またはハードディスク６４（磁気ディスクやシリコンディスクなどを含む）に記憶し、ＣＰＵ６１によってプログラム４１を実行し、上述の本発明の実施の形態で説明した構成の機能が全部又は部分的に実現される。あるいは、通信路を介してプログラム４１をコンピュータ４２に転送し、コンピュータ４２では通信部６６でプログラム４１を受信して内部メモリ６２またはハードディスク６４に記憶し、ＣＰＵ６１によってプログラム４１を実行して実現してもよい。
【０１０１】
コンピュータ４２には、このほかインタフェース６５を介して様々な装置を接続してもよい。ここでは、表示装置４、及び、受付部３に対して利用者が指示を行う指示装置を図示している。また、例えば図２に示した画像形成サーバ１３として示した各部とともに構成されてもよいし、さらに、画像形成装置１６の構成を含めた一体の画像形成装置として構成されていてもよい。この他にも種々の装置がインタフェース６５を介して接続されていてもよい。
【０１０２】
なお、各構成が１台のコンピュータにおいて動作する必要はなく、複数のコンピュータが協働して処理が実行されるように構成してもよい。また、用途に応じて、その用途におけるプログラムと一体として構成してもよい。さらに、部分的にハードウェアによって構成してもよいし、あるいは、すべてをハードウェアで構成してもよい。
【符号の説明】
【０１０３】
１…加工部、２…生成部、３…受付部、４…表示装置、１１…利用者端末、１２…通信路、１３…画像形成サーバ、１４…表示装置、１５…通信路、１６…画像形成装置、２１…通信部、２２…画像受付部、２３…画像記憶部、２４…画像メモリ、２５…画像処理部、２６…画像送信部、２７…通信部、２８…表示画像生成部、２９…表示制御部、３０…指示装置、３１…指示受付部、３２…制御部、４１…プログラム、４２…コンピュータ、５１…光磁気ディスク、５２…光ディスク、５３…磁気ディスク、５４…メモリ、６１…ＣＰＵ、６２…内部メモリ、６３…読取部、６４…ハードディスク、６５…インタフェース、６６…通信部。
【図１】
0006590139.tif 000002
【図２】
0006590139.tif 000003
【図３】
0006590139.tif 000004
【図４】
0006590139.tif 000005
【図５】
0006590139.tif 000006
【図６】
0006590139.tif 000007
【図７】
0006590139.tif 000008
【図８】
0006590139.tif 000009
【図９】
0006590139.tif 000010
【図１０】
0006590139.tif 000011
【図１１】
0006590139.tif 000012
【図１２】
0006590139.tif 000013
【図１３】
0006590139.tif 000014
【図１４】
0006590139.tif 000015
【図１５】
0006590139.tif 000016
【図１６】
0006590139.tif 000017